(57)【要約】  外科用パッキング、傷用包帯、生理用タンポン、及び床ずれ防止用及び／又は治療用の殺菌吸収材の使用を、用途に合わせて殺菌色素の充填を行った親水性ポリウレタン重合体の泡状マトリックスで行う。各種の密度と厚みのポリウレタン重合体により、それぞれ、ゲンチアナバイオレットやメチレンブルーなどのような塩基、酸性を含む異なるレベルの多数の殺菌色素を吸収する特別な能力を呈する。色素充填と特定の用途の関係により、外部の病原体がパッドを通して傷に入らないように防止可能な完全定着型ゲンチアナバイオレットパッドを従来の包帯やパッドのように傷の表面に使用することにより、パッドの定着色素によって病原体が殺される。傷の浸出液はパッドによって安全に吸収され、傷から発生する病原体も殺される。充填色素の濃度が、定着色素の限度を超えることによって飽和状態になると、限られた量の遊離型色素を傷、特に深い傷へ送出し、傷の中の病原体を迅速に殺す。遊離型色素を送出したパッドを定着色素パッドと交換し、傷の浸出液を吸収する。【特許請求の範囲】
【請求項１】
親水性ポリウレタンのスポンジを、スポンジと結合できる抗菌性色素の溶液の中に程度を変えて浸すステップと、溶液と色素を最大限含ませるように浸しながら、混入された気泡を空隙から搾りだすステップと、スポンジを乾燥して抗菌性吸収パッドを形成するステップとを含む、抗菌性吸収剤を形成するプロセス。
【請求項２】
過剰分の非定着型色素がスポンジ内に残り、それが乾燥されて、開いた傷に対し、非定着型の遊離型色素の放出システムを提供する請求項１記載のプロセス。
【請求項３】
殺菌性色素を水とグリセリンが１５：１で配合された混合溶液の中に溶解する請求項１記載のプロセス。
【請求項４】
殺菌性色素をゲンチアナバイオレット、ブリリアントグリーン、マラカイトグリーン、メチルブルー、メチレンブルー、アクリジンオレンジ、アクリジンイエロー、キナクリン、トリパンブルー、トリパンレッドを含む群から選択する請求項１記載のプロセス。
【請求項５】
殺菌性色素がゲンチアナバイオレット、グリセリン及び水の混合液を含む請求項１記載のプロセス。
【請求項６】
前記混合液は強度１パーセントのゲンチアナバイオレットを８滴含む請求項５記載のプロセス。
【請求項７】
前記定着型色素を含むスポンジは、“床ずれ”シート用の水分不浸透性ポリエチレンとともに感圧接着材（ＰＳＡ）でスポンジに接着した透明裏打ちフィルムを設けてある請求項１記載のプロセス。
【請求項８】
傷を処置し、保護し、治癒する薬品を含む医療用パッドであって、該パッドはポリウレタンから構成された発泡スポンジ材の形態でありかつ親水性を有し、前記パッドは、薬品及びそれ用の溶剤を含む溶液で処理されている医療用パッド。
【請求項９】
前記薬品は、１から３パーセントの範囲内の強度を有するゲンチアナバイオレットを含む請求項８記載の医療用パッド。
【請求項１０】
前記パッドは、前記ゲンチアナバイオレット、グリセリン、及び水の溶液にさらしたものである請求項９記載の医療用パッド。
【発明の詳細な説明】
【技術分野】
【０００１】
本発明は医薬の分野に関し、更に詳しくは、大小、深浅、感染の有無など、あらゆる種類の傷の処置、保護及び治癒させるための薬品を含む医療用パッドと、好ましい薬品の調整及び適用を含むそれらパッドを製造するための方法又は工程、更に、傷、怪我、痛みを伴う切傷などのタイプに応じた使用方法に関する。
【背景技術】
【０００２】
１９９８年９月２２日、カリフォルニア州、サンタ・アナ在住のエドワード・シャンブロム氏に付与された“殺菌用プラスチックスポンジ材”と題する米国特許第５，８１１，４１７号において、本発明と類似した目的のための殺菌吸収剤が開示されている。この特許は、更に同じ分野の包帯などの製造に関する以前の開示に関する背景情報を記載している。
【０００３】
外科用包帯及び／又はパッキング材の主な機能は、バクテリア、ウィルス及び他の病原体の成長を助長することができる血液その他の流体を含み、かつ、蛋白質なども含む、浸出液の吸収である。これは、病原体の成長の制限もしくはそれらを殺すため、包帯を絶えず交換したり、また、殺菌剤及び／又は抗生物質で治療をすることを必要とする重症の感染や有害な毒素の放出をもたらす。
【０００４】
発明の分野
本発明は、医療用製品及び個人ケア製品に関し、特に抗菌消毒促進剤、殺菌包帯、タンポン／生理用ナプキン材、及び“床ずれ”シートに関する。
【０００５】
殺菌に関するリスターの発見及びそれに続く無菌包帯材の傷用手当て用品としての採用以前は、“医療技術”はよく解釈したとしても未開の分野でしかなかった。リスターの働き以降は、微生物がいったんは無菌包帯材の中で成長する傾向にあるという点が引き続き問題であった。
【０００６】
外科用包帯及びパッキング材の主な機能は様々な排出液又は浸出液の吸収である。これら流体は、栄養物が豊富に含まれていることが多く、また大量のバクテリアの成長を助長することができる。皮膚の表面又は手術或いは怪我による傷口にバクテリアが存在しないことは稀であり、従来の包帯材はすぐにバクテリア数の増加を助長することになる。これにより、重症の感染や有害な毒素の放出を生じさせる。包帯の交換も幾分助けにはなるが、バクテリアの成長を制限するためには包帯材をある種の殺菌剤で処理する方がよい。
【０００７】
前述の米国特許第５，８１１，４７１号では、ポリビニルアルコールアセタール共重合体のスポンジから容易に洗い流されないで、“定着型色素”をそのままに、“遊離型色素”を取り除くという洗浄段階にいたることができる効果的な殺菌剤の製造が困難であることを論議している。この特許は、危険なバクテリアの成長、即ち、ブドウ球菌感染症による“毒素ショック症候群”についても記載しており、また、この特許は、米国特許などにおける“最良の包帯”を製造するための同様な試みに関する“公報の追跡”のドキュメンテーションを行っている。すべての場合において、色素の傷への何らかの導入を固有に避けるものであった。また、生体組織内に色素が浸出するという、一般的な“恐れ”もあった。
【発明の開示】
【発明が解決しようとする課題】
【０００８】
発明の目的及び概要
よって、本発明の目的は、バクテリアの成長を助長することなく、理想的に傷の浸出液などのような体液を吸収する洗浄用清拭材、包帯、外科用パッキング、生理用ナプキン、タンポン、“床ずれ”シート及び他の同様な装置に使用するための殺菌性を有する吸収剤を提供することにある。
【０００９】
本発明の別の目的は、血液や蛋白質の存在中でも活動を維持する殺菌剤を提供することにあり、更に別の目的は、毒素、即ち、バクテリア、ウィルス、真菌類、かび、酵母が最高濃度にある時に、殺菌剤を制御の下で傷の中にできるだけ早く放出して、抗毒素活動を最大とするように、特別に“充填した”濃度の“遊離型色素”として殺菌剤を利用可能とすることにある。また、例示された、また、“実施化される”
別の目的は、“遊離型色素”の最低レベルで、同様の“充填されたパッド”を“第４級塩”色素の送出と傷の浸出液の吸収に使用可能とすることにある。
【００１０】
本発明の別の目的は、ゲンチアナバイオレットの“毒素”に関する文献に“混合信号”があり、これが、何か違うことを試そうとすることに対して広がる恐れを持つことに繋がった。早期の解毒段階における交互“送出システム”は、ゲンチアナバイオレットの溶液を直接傷に“吹き付ける”ためのスプレーボトルによって得ることができ、続いて“定着型色素”のみを含む親水性ポリウレタン（Hydrophilic Polyurethane）パッドが結果として生じる浸出液を吸収する。このパッドは、感圧接着剤（ＰＳＡ）でスポンジの後縁部に接着した疎水性ポリウレタンの不透明もしくは透明なシートも備えることができ、それによって、浸出液がスポンジ状のパッドを通って移動する様子が見える。
【００１１】
以下の明細書を読めば当業者には明らかとなるであろうこれら、そして、他の目的は、殺菌性殺菌色素、特に完全に“定着型”か、もしくは“定着型”と“遊離型”を組合わせた色素であるゲンチアナバイオレットを含む親水性ポリウレタンのスポンジ状マトリックスを使用することである。
【００１２】
更に、水との共溶媒としてのグリセリンの使用は、低水準の水分を保持する湿潤剤となるので、殺菌包帯の交換や保守の頻度が減り、より効果的且つ経済的に好ましい。本発明は、グリセリンが存在するとより多くのゲンチアナバイオレットがパッドに定着するということを発見し、よってゲンチアナバイオレットの減量使用ができ、望ましくない着色を排除もしくは大いに最小にすることができる。
【発明を実施するための最良の形態】
【００１３】
好ましい実施例の詳細な説明
下記の説明は、当業者が本発明を製造し使用することができるように提供するものであり、本発明を実施するために本発明者達が考案した最良の形態を記載している。しかし、各種変更が可能であることは当業者にとって明らかである、何故なら本発明の一般的原理をここに限定しており、具体的には殺菌色素、即ち完全な“定着型”又はいくらかの“遊離型”のある“定着型”色素、を含む親水性ポリウレタン発泡スポンジの使用を提供するものである。後者は、傷の中の最大レベルの病原体へ殺菌性色素を導入する制御された送出システムとして使用する。前者は、傷口からにじみ出る通常の浸出液を吸収すると共に、空気伝達、又は他のソースから病原体が殺菌した傷に入るのを防止する事後用パッドであることを意味している。過分な“遊離型色素”を最低限に抑えられれば、単一の“充填したパッド”を遊離型色素を送出して病原体を殺すことと傷の浸出液を吸収することの両方に使用できるであろう。
【００１４】
“殺菌色素”とは、メチレンブルーや同族のチオニン色素（陰性、又は酸性）、アクリジンオレンジ、アクリジンイエロー、及び関連するアクリフラビン（アクリジン）色素（陽性又は塩基性）、キナクリン及びその誘導物、ゲンチアナバイオレット、ブリリアントグリーン、マラカイトグリーン及び同族のトリフェニルメタン色素（陽性）及びトリパンブルーやトリパンレッドのようなビスナフタレン色素を含む“重要色素”として一般に知られている多数の有機色素のいずれかを指すものである。メチルブルーは、両性の酸性“第４級塩”であるトリフェニルメタン色素である。一般に、色素はグラム陰性対グラム陽性のバクテリアに向けて異なる活動を示し、メチレンブルーのような陰性（酸性）色素は大腸菌やサルモネラ菌のようなグラム陰性バクテリアに対してより効果的であり、ゲンチアナバイオレットのような陽性（塩基性）色素はブドウ球菌や連鎖球菌のようなグラム陽性バクテリアに対してより効果的である。しかし、以下の実施例ではゲンチアナバイオレット殺菌剤色素のみについて論議する。
【００１５】
ゲンチアナバイオレットの殺菌性については知られており、核酸はすべての生きている細胞において見られる高分子（ポリヌクレオチド）であって、それは、生命のシステムの代謝を制御する上で基本的に重要なものである。核酸は、核蛋白を形成する蛋白質と密接なつながりをもって発生する。核酸の三つの構成成分は、プリン及びプリミジン塩基と、糖と、燐酸である。ゲンチアナバイオレット（クリスタルバイオレット）は微生物を着色するだけでなく、それらの成長を抑制する、すなわち、それらを殺す。ゲンチアナバイオレットは、毒素に対する“化学的弾丸”である。色素は局部殺菌として使用する。その作用は、正電荷を帯びた（第４級塩）色素分子を、皮膚の核酸の負電荷を帯びたリン酸塩基への結合に基づく。傷の核酸上のリン酸塩の場所はバクテリア、菌類、及びビールスによって攻撃されたものと同じであるため、ゲンチアナバイオレットはその場所のために毒素と競合するが、より重要なことは、毒素は色素によって攻撃されるそれ自身の核酸リン酸塩を有しており、故に、その進路中で感染を停止する。これが、本発明で提案しているように“遊離型”色素の傷の場所への急速な送出が、傷のタイプや発生するであろう感染により、急速な治癒にとって最も重要なものとなりうる１つの理由である。
【００１６】
好ましい親水性ポリウレタンは、ジイソシアネートとポリオール及びグリコールエキステンダーの間の触媒反応の共重合体である。本発明で使用する好ましい材料は、外科用スポンジとパッキングとしてすでに広く使用されている重合体の医療用グレードのものである。一律の孔サイズを有し、固有の微粉も溶質も放出しない。この材料は様々な密度、孔、形状及び寸法のものが入手可能である。また、スポンジの裏面に接着された疎水性ポリウレタンの透明な裏打ちシート付きのものも入手可能であり、よって浸出液がパッドを通して浮上してくるのを見ることができる。“床ずれ”シートの裏打ちシートは、水分不透過性のポリエチレンが好ましい。
【００１７】
ＰＶＡと同様、親水性ポリウレタンは陽性色素ばかりでなく多数の陰性色素も結合することができる。
【００１８】
本発明の抗菌材料は、有効な分量のゲンチアナバイオレットを適切な親水性ポリウレタン基板に結合することによって生成される。適切な基板とは、特定の働きをするのに十分な多孔性又は密度及び吸収性を有する材料を意味する。例えば、単純な包帯には、かなり多孔性で、よって洗浄清拭用として有用なむしろ軽量かつ柔軟な材料の使用が最高であろう。１インチの厚さのパッドで十分である。傷の浸出液吸収材としては、特に数日間傷場所に残しておくのであれば厚みが１／４（０．２５）インチのパッドのほうがよく、また好ましい。しかし、タンポンは、親水性ポリウレタン材の、いくらか密度が濃く、高吸収グレードの使用が最高であろう。“定着型”ゲンチアナバイオレットのみの適切なパッドを清潔な白いパッドとしてゼリー圧延して、ゲンチアナバイオレットを膣の壁から完全に隔離することが出来る。材料内の気泡の数とサイズがこれらの吸収性を制御する。親水性ポリウレタンはすでにオリフィス及び外科用パッキングに使用されている。同じグレードの材料を本発明の適用に使用できる。“有効な量”とは、バクテリアの成長を予定の使用期間にわたって阻止するのに十分な色素であることを意味する。材料と人体との接触が長くなればなるほど、一般的に色素の高濃度が必要である。
【００１９】
一般的に、ＨＰ材料を過剰量のゲンチアナバイオレット溶液に浸すと共に混入気泡を浸したＨＰパッドからしぼり出し、ゲンチアナバイオレット溶液を孔に充填させれば充分である。原乾燥パッドは、膨らむと、例えば４×４から５．５×５．５インチ及び５×５から６．５×６．５インチと大きくなる。溶剤として水のみを使用している場合には、まずパッドの縁部から乾燥が始まり、しぼまった“湿潤”中央部を残す。吸い取り後、空気中で数日間乾燥後パッドはその元のサイズに戻りほとんど完全に平坦になる。
【００２０】
本発明の好ましい形態では、水とグリセリンを組み合わせて溶剤として使用し、ゲンチアナバイオレット及び／又は他の殺菌剤と混合、処理済みパッドの乾燥は均一に起こるが、グリセリンがほとんどの空隙を占拠しているため、パッドはより柔らかく、やや湿った感じを与え、ほとんどしわがよることなく平坦である。“定着型”色素のレベルは予め算定可能であり、槽の中のゲンチアナバイオレットから青色がまったく無くなると、すべての吸収したゲンチアナバイオレットが“定着した”ということを示す。逆に、浸漬及び圧搾後に槽に青色が残っている場合には、それは“遊離型”色素が存在することを示す。“遊離型色素”の最低レベルは、同様に充填したパッドを送出及び吸収の両方に使用することを可能とする。親水性ポリウレタンの中に残ったグリセリンは、柔らかさを維持し、その材料の乾燥後は、それ以降の流体摂取を改善する。この双方向流が本発明の特に重要な特徴となる。
【００２１】
本発明で使用するゲンチアナバイオレットは、例えばブドウ球菌や連鎖球菌、陽球菌のようなグラム陽性球菌、またコリネバクテリア、リステリア菌、細菌、紡錘状菌、放線菌、ノカルジア、及びヘルペスや帯状疱疹を引き起こすウィルスなどのようなグラム陽性桿菌を殺す。例えばナイセリアのようなグラム陰性球菌及び大腸菌やサルモネラ菌のようなグラム陰性桿菌の可能性がある場合には、メチレンブルーを色素混合液に添加する。。
【００２２】
メチレンブルーとゲンチアナバイオレットの両者は局部使用において長い歴史を有する。これらは概して非刺激性であり、予備実験は染色したＨＰも非刺激性であることを示している。発明者達は、親水性ポリウレタンが、陽性、陰性両色素を共に結合することを発見した。また、色素の水／グリセリン槽は、極性で湿潤性の“糖状”グリセリンの存在により、水で再湿潤化をしやすい平坦で取り扱いやすいパッドを生じることを発見した。この段階は、重合体形成工程に容易に組み込むことができ、あるいは契約者に乾燥した、色素充填、無菌密閉包装を顧客、利用者又は患者に引渡すように依頼することができる。
【００２３】
次に示す臨床経験が本発明の利点を際立たせている。
【００２４】
患者を１パーセント（１％）の強さの液体ゲンチアナバイオレット溶液で治療している間、次のことが起こった。塗布した患者の傷域はゲンチアナバイオレット色素で紫色に着色された。更に、かさぶたが形成され、ゲンチアナバイオレットがかさぶたの一部となった。傷は、かさぶたに影響しないと思われる石鹸と水で毎日洗浄し、毎日ゲンチアナバイオレットを現存のかさぶたの上に塗布した。
【００２５】
一週間後、かさぶたは変化していないと思われ、傷のサイズは同じままであった。いかなる感染の形跡も見られなかった。
【００２６】
手順の変更を行った。１％のゲンチアナバイオレット溶液を直接塗布する代わりに、グリセリンと水とで混合されて減量したゲンチアナバイオレットを含ませ、そして乾燥したポリウレタンパッドをかさぶたで覆われた傷の上に載せた。毎日洗浄を続け、最終的にかさぶたが除去された。ゲンシアナバイオレット混合液を含んだパッドを毎日洗浄後に当てたが、ゲンチアナバイオレットによる更なる皮膚の着色は生じることなく、新しいかさぶたも形成されなかった。傷は明らかな感染もなく、清潔に保たれた。３，４日以内に傷の上皮化が行われると同時に、傷の大きさと深さが、顕著に減少した。
【００２７】
第２の患者の治療では、ゲンチアナバイオレット混合液を含むポリウレタンパッドを、水痘ウィルスで生じた、帯状疱疹のつぶれた水ぶくれに当てた。驚いたことに傷は乾き２４から４８時間以内に治癒すると思われた。通常、このような水ぶくれの域は長い間ジクジクすることが多い。これらの結果に鑑みて、この薬用パッドを、他のタイプのウィルス感染、即ちヘルペス、痘瘡ウィルス、などによって引き起こされるつぶれた水膨れや、放射によって引き起こされる火傷や他のトラウマを含む、ただしこれらに限定されない様々な傷に当てるという、明らかな可能性が存在する。
【００２８】
現在好ましいプロセスとモードで使用される材料は以下のとおりである：
【００２９】
二つの異なるタイプのパッドをテストし、すなわちポリウレタン発泡剤製のパッドと、孔空き非粘着物の間に配された吸収パッドからなり、すなわち簡単に剥がせる層を傷と接触する側に設け、外側に防水性フィルムを設けて構成されるスミス・アンド・ネフュー（アレヴィン）親水性ポリウレタン手当て用品と、をテストした。
【００３０】
将来の使用としては外側の防水性フィルムがなく、パッドは、傷との接触側に設けた非粘着層とポリウレタンパッドのみからなるスミス・アンド・ネフュー親水性ポリウレタン手当て用品が考えられる。
【００３１】
パッドへの薬品の埋め込み：
【００３２】
本発明による研究は、パッドに使用することができるゲンチアナバイオレットの濃度には範囲があることを示している。この範囲は、ゲンチアナバイオレット一滴からパッドが傷を着色するのに必要な数の滴数である。双方向作用が目的である。使用する薬品の量は、薬品が傷の中に放出されるが、パッドが浸出液を適切に吸収できるだけのスペースを十分残しておけるよう均衡を保つ量である。薬品調合の不正確な量を使用することによる過飽和は、すなわちゲンチアナバイオレット、グリセリン及び水が薬品の送出を遮断し、あるいは浸出液の吸収を阻害するであろう。
【００３３】
約８（８．０“）インチ角、厚み１／４（０．２５）インチ（２０．３ｃｍ角、厚み０．６３５ｃｍ）のポリウレタン発泡パッドを作成するための非常に有用かつ好ましい配合は、２パーセント（２％）のゲンチアナバイオレット８滴、グリセリン３０ｃｃ、及び水４５０ｃｃを含む溶液である。パッドを溶液に浸し、取り出して絞り、余分な液体を取り除いてから空気で乾燥させる。未処理パッドは、乾燥時約３０ｇ、飽和時２７０ｇ−２９０ｇ、絞った後約１３０ｇ、そして空気乾燥後は約４０ｇ、の重さである。
【００３４】
パッドを作成するためにテストした第２の混合溶液は、１と７／８カップ（１５オンス）の蒸留水と、１／８カップ（１オンス）のグリセリンと、６−１０滴の１％のゲンチアナバイオレットを含む。少量のゲンチアナバイオレットにより、好ましくない着色の可能性が低減される。
【００３５】
よって、薬用ポリウレタンパッドと新規な医療手順を含む本発明は、皮膚手当て用品、シーツ、服などに着色することなく、ゲンチアナバイオレットを傷に送出する新規な方法を提供するものであることがわかる。
【００３６】
好ましい発明の形態では、パッドと希釈ゲンチアンバイオレット混合液の組み合わせが傷の治癒の促進に必要な正しい環境を提供する。パッドの機能は浸出液を吸収し、かさぶたの形成を防止し、傷を継続的にゲンチアナバイオレットの抗菌性と他の属性に露出させることである。これらの特性の組み合わせが傷の上皮形成と傷の治癒を促進するのである。
【００３７】
本発明の主要な特徴は、処理済みポリウレタン発泡材をうまくゲンチアナバイオレットと水とグリセリンの化合物と組み合わせて、独自の、そして、他の公知の医療用手当て用品より性能の優れた医療用手当て用品を提供することにある。
【００３８】
手当て用品を独自のものとするための特徴は以下を含む：
【００３９】
ａ．処理を施した手当て用品は菌類、メチシリン耐性ブドウ球菌を含むバクテリア、及びヘルペスや帯状疱疹を引き起こすものを含む各種ウィルス、を殺すので、処理した手当て用品は感染した傷の上で使用できる。
【００４０】
ｂ．ゲンチアナバイオレットで処理したこれら薬用パッドは、通常、ゲンチアナバイオレットを使用した結果起こる着色を生じることはない。
【００４１】
ｃ．調整したゲンチアナバイオレットの配合剤を他の化学薬品とともに使用することによって、その原の生一本な形態より速い治癒を行う。
【００４２】
ｄ．新しいゲンチアナバイオレットの調合は、治癒を妨げる慢性化した傷の上へのかさぶたの形成を除去する。
【００４３】
ｅ．ポリウレタンパッド又は手当て用品は、傷に当てる前に湿らせる必要がなく、患者の体の曲線に容易に適合する軟性スポンジからなる。
【００４４】
使用において、処理済みパッドを傷に直接当てると、透過性の膜として作用する。その作用は双方向となる。パッドを傷の上に置くと、薬品が傷に放出され、病原体を攻撃する。傷内で浸出液が形成されると、パッドに吸収されることによって傷から抽出される。手当て用品は通常は一度に３，４日間、傷の上に残した状態とすることができ、傷の面倒をみる時間を節約できる。ある傷上のパッド、又は、床ずれを防止するために使用するパッドは、１週間は交換の必要はない。
【００４５】
更に、上記のような処理を施したゲンチアンバイオレットパッドは、傷跡を少なくする。通常の手当て用品で必要な反復的なパッドの傷口からの取り外しや交換を行わないことにより、上皮形成の妨げの発生が少ない。
【００４６】
更に、術後手当て用品として使用する場合、処理済みパッドは、傷を保護するための衛生的なバリヤとして作用するだけでなく、その双方向の特性により傷の治癒を促進する。ゲンチアナバイオレット、水、及びグリセリンで作成された処理済みパッドは、傷の大きさや深さに関係なく傷に付着することは稀である。このパッドの取り外しやすさにより、容易に傷を観察して再び覆うことができる。
【００４７】
また、本発明に従って処理されたパッドを、床ずれ予防に使用できる。このパッドを加圧点上に予防的に当てれば、床ずれの形成の防止に役立つ。皮膚のいずれかの領域が崩壊しても、パッド内の薬品は床ずれ部分の感染の防止を助長し、傷の治癒を助長する。また、パッドは、肌に優しく、通常の皮膚を健康に保つ。
【００４８】
本発明の精神と範囲を逸脱することなく、当業者は様々な変更、変形を行うことができる。しかし、先行の特許されかつ公開された技術は“遊離型”色素を含有するパッドによって、最初に、傷の中の病原体を可能な限り迅速に制圧し、傷口をより早く治癒するため、浸出液の形成と移行を早める、パッドの使用を含んでいない。また今までの研究者達は“第４級塩”色素で、燐酸場所を介して核酸を攻撃する方法で、バクテリアだけでなく、菌類、ウィルス、カビ、瘤などの病原体も殺すことができることも言及していない。
【００４９】
上記に示した本発明の実施例は、例示のみを目的として記載されたものであり、本発明を限定するものではない。よって、添付の請求の範囲内において、本発明をここで具体的に記載した方法以外で実施することも可能であることは理解できよう。“第４級塩”化学物質を核酸の燐酸場所と結合させることにより、ウィルス、例えばＨＩＶ／ＡＩＤＳや腫瘍除去に対し、新しい見方ができるようになる。
【国際調査報告】
2005536322.tif 000002
2005536322.tif 000003